(57)【特許請求の範囲】
【請求項１】
底面パネルの背面に背面パネルが、前面に正面パネルが、両側面に側面パネルが立設された上面開口の箱状であり、それらいずれかのパネルをベント、支保工、建物構造物等の支持体に取付け可能な足場であり、
前記底面パネル、背面パネル、両側面パネル、正面パネルは、背面パネルを下にしてその上に底面パネル、その上に両側面パネル、その上に正面パネルの順に折り畳んで重ねることができ、
前記折り畳み状態から、正面パネルを引き上げると、その下に折畳まれている両側面パネルが背面パネルの両側前方に展開し、両側面パネルの前面に正面パネルが展開され、背面パネルに重ねてある底面パネルを背面パネルの前方に横倒しに展開することができるように連結され、
前記展開状態で背面パネルと正面パネルと両側面パネルが方形枠状に保持されるように両側面パネルと正面パネルが支持具で連結され、
前記方形枠状に保持された背面パネルと正面パネルと両側面パネルの内側に、底面パネルを倒すことにより、背面パネルと正面パネルと両側面パネルと底面パネルとにより前記上面開口であって、内部に作業者が入って作業することのできる広さの箱状に組み立てることができ、
前記組立て状態で、底面パネルを起立させて背面パネルに重ね、その底面パネルの上に両側面パネルを重ね、その両側面パネルの上に正面パネルを重ねて前記折畳み状態に戻すことができ、
少なくとも前記背面パネルに、ベント、支保工、建物構造物等の支持体に着脱可能な連結板を備えた、
ことを特徴とする折畳み足場。
【請求項２】
請求項１記載の折畳み足場において、
支持具が細長材であり、その支持具は側面パネルと正面パネルで構成される二つの上コーナー部及び二つの下コーナー部に設けられ、上コーナー部の支持具は側面パネルの上枠と正面パネルの上枠に跨がせて架設され、その一端側が側面パネルの上枠に他端側が正面パネルの上枠に夫々回転可能に取付けられ、下コーナー部の支持具は側面パネルの下枠と正面パネルの下枠に跨がせて架設され、その一端側が側面パネルの下枠に他端側が正面パネルの下枠に夫々回転可能に取付けられて、正面パネルの折畳みに伴って折畳まれ、正面パネルの展開に伴って立ち上がり、両側面パネルが背面パネルの前方に突出するまで展開されて側面パネル側端部が正面パネル側端部と突き合わされると、両側面パネルの前記枠材と正面パネルの前記枠材が支持具により支持されて両側面パネルと正面パネルが展開状態に保持されるようにした、
ことを特徴とする折畳み足場。
【請求項３】
底面パネルの背面に背面パネルが、前面に正面パネルが、両側面に側面パネルが立設された上面開口の箱状であり、それらいずれかのパネルをベント、支保工、建物構造物等の支持体に取付け可能な足場であり、
前記底面パネル、背面パネル、両側面パネル、正面パネルは、背面パネルを下にしてその上に底面パネル、その上に両側面パネル、その上に正面パネルの順に折り畳んで重ねることができ、
前記折り畳み状態から、正面パネルを引き上げると、その下に折畳まれている両側面パネルが背面パネルの両側前方に展開し、両側面パネルの前面に正面パネルが展開され、背面パネルに重ねてある底面パネルを背面パネルの前方に横倒しに展開することができるように連結され、
前記展開状態で背面パネルと正面パネルと両側面パネルが方形枠状に保持されるように両側面パネルと正面パネルが支持具で連結され、
前記方形枠状に保持された背面パネルと正面パネルと両側面パネルの内側に、底面パネルを倒すことにより、背面パネルと正面パネルと両側面パネルと底面パネルとにより前記上面開口であって、内部に作業者が入って作業することのできる広さの箱状に組み立てることができ、
前記組立て状態で、底面パネルを起立させて背面パネルに重ね、その底面パネルの上に両側面パネルを重ね、その両側面パネルの上に正面パネルを重ねて前記折畳み状態に戻すことができ、
前記支持具が細長材であり、その支持具は側面パネルと正面パネルで構成される二つの上コーナー部及び二つの下コーナー部に設けられ、上コーナー部の支持具は側面パネルの上枠と正面パネルの上枠に跨がせて架設され、その一端側が側面パネルの上枠に他端側が正面パネルの上枠に夫々回転可能に取付けられ、下コーナー部の支持具は側面パネルの下枠と正面パネルの下枠に跨がせて架設され、その一端側が側面パネルの下枠に他端側が正面パネルの下枠に夫々回転可能に取付けられて、正面パネルの折畳みに伴って折畳まれ、正面パネルの展開に伴って立ち上がり、両側面パネルが背面パネルの前方に突出するまで展開されて側面パネル側端部が正面パネル側端部と突き合わされると、両側面パネルの前記枠材と正面パネルの前記枠材が支持具により支持されて両側面パネルと正面パネルが展開状態に保持されるようにした、
ことを特徴とする折畳み足場。
【請求項４】
請求項３記載の折畳み足場において、
少なくとも背面パネルに、ベント、支保工、建物構造物等の支持体に着脱可能な連結板を備えた、
ことを特徴とする折畳み足場。
【請求項５】
請求項１から請求項４のいずれか１項に記載の折畳み足場において、
底面パネルは背面パネルの上に重なる折り畳み状態から、背面パネルの前方に横倒しになる状態まで回転可能に背面パネルの下部に取付けられ、側面パネルは底面パネルの上に重ねられた折り畳み状態から背面パネルの前方に突出する展開状態まで回転可能に背面パネルの側方部に取付けられ、正面パネルは側面パネルの上に重ねて折り畳まれた状態から、背面パネルの前方に突出した両側面パネルの前方に配置される展開状態まで回転可能に側面パネルに取付けられた、
ことを特徴とする折畳み足場。
【請求項６】
請求項１から請求項５のいずれか１項に記載の折畳み足場において、
展開時には両側面パネルの枠材と正面パネルの枠材とが支持具により不等辺三角形が形成されるように連結され、その不等辺三角形が確保されて両側面パネルと正面パネルが展開状態に保持され、折り畳み時には当該支持具が側面パネルの枠材に沿うように回転して折畳まれるようにした、
ことを特徴とする折畳み足場。
【請求項７】
請求項１から請求項６のいずれか１項に記載の折畳み足場において、
背面パネル、両側面パネル、正面パネルのいずれか一以上のパネルに、タラップを設け、底面パネルに出入り口を設け、出入り口に開閉可能な蓋を設け、作業者がそのタラップを昇降して前記出入り口から、箱状に展開されている足場内に出入りできるようにした、
ことを特徴とする折畳み足場。
【請求項８】
請求項１から請求項７のいずれか１項に記載の折畳み足場がベントに取付けられ、折畳み足場をその取付け状態で折畳み展開自在とした、
ことを特徴とする折畳み足場付きベント。
【請求項９】
請求項８記載の折畳み足場付きベントにおいて、折畳み足場のタラップが付いている背面パネルをベント側にしてベントに取付けた、
ことを特徴とする折畳み足場付きベント。
【発明の詳細な説明】
【技術分野】
【０００１】
本発明は保管時や不使用時に折り畳むことができ、使用時に箱状に拡げることができる折畳み足場と、その折畳み足場が取付けられた折畳み足場付きベントに関し、橋梁や高速道路などの工事現場、ビル建設現場といった各種現場で使用するのに適するものである。
【背景技術】
【０００２】
前記した各種現場では高所作業に足場が使用されている。足場には各種のものがあり、一例として、パイプと床材を作業現場で縦横に組み立てて作った足場（組み立て式足場）、予め、工場で箱形に製造したものを現場に搬送して設置する足場（完成式足場）、車両に搭載されて車両の移動により現場に搬送される足場（車載式足場）等がある。
【０００３】
組み立て式足場は施工現場のスペースや周囲の環境に合わせて組み立て可能であるという利点があるが、現場での組立作業が面倒であり時間が掛るといった難点がある。
完成式足場は現場での組み立て作業が不要であり設置が容易であるという利点があるが、嵩張るため保管スペースが広く必要になる。また、現場に運ぶトラックやトレーラーに一度に多くを積載することが難しく運搬効率に難点があった。
車載式足場は組立作業は不要であるが、車が入れない狭い現場では使用できないという難点がある。
【０００４】
橋梁の施工方法には各種工法がある。その一つとして、橋脚間に橋桁を架設する場合にベントを積み重ねて組み立てた支保工を使用するベント工法がある。ベント工法は鋼製のベントを上方に積み重ねて連結して橋桁を支持する構台（支保工）を組み立て、その支保工の上に、トラックやトレーラー等で運んできた橋桁を架設する工法である。
【０００５】
積み重ねた上下のベントは互いに連結する（組み立てる）必要があり、工事終了後は積み重ねたベントを解体する必要がある。これら組み立て作業や解体作業には足場が必要である。支保工はベントを積み重ねるにつれて高くなるため、高くなるにつれて組み立て作業や解体作業も高所作業となり、危険が伴う。
【０００６】
近年は、支保工の外側に階段部材や踊場足場が設けられたベント設備が提案されている（特許文献１）。
【先行技術文献】
【特許文献】
【０００７】
【特許文献１】特開２００５−２４８６２８号公報
【発明の概要】
【発明が解決しようとする課題】
【０００８】
前記特許文献１記載のベント設備によれば、作業性や安全性での改善は期待できるが、階段部材や踊場足場が嵩張るため現場までの搬送や現場での設置作業が面倒であった。
【０００９】
本発明の解決課題は、保管時や不使用時にはコンパクトに折り畳んで、保管に広いスペースが不要であり、現場への搬送も容易であり、使用時に現場で簡易に拡げて手軽に組立作業ができ、積み重ねたベントの連結、解体作業を容易かつ安全に行うことができる折畳み足場と、その折畳み足場を備えた折畳み足場付きベントを提供することにある。
【課題を解決するための手段】
【００１０】
本発明の折畳み足場は、底面パネルの背面に背面パネルが、前面に正面パネルが、両側面に側面パネルが立設された上面開口の箱状であり、それらいずれかのパネルをベントや建物などの構造物（以下「支持体」という。）に取付け可能な足場であり、前記底面パネル、背面パネル、両側面パネル、正面パネルは、背面パネルを下にしてその上に底面パネル、その上に両側面パネル、その上に正面パネルの順に折り畳んで重ねることができ、前記折り畳み状態から、正面パネルを引き上げると、その下に折畳まれている両側面パネルが背面パネルの両側前方に展開し、両側面パネルの前面に正面パネルが展開され、背面パネルに重ねてある底面パネルは背面パネルの前方に横倒しに展開することができるように連結され、前記展開状態で背面パネルと正面パネルと両側面パネルが方形枠状に保持されるように両側面パネルと正面パネルが支持具で連結され、前記方形枠状に保持された背面パネルと正面パネルと両側面パネルの内側に、底面パネルを倒すことにより、背面パネルと正面パネルと両側面パネルと底面パネルとにより前記上面開口であって、内部に作業者が入って作業することのできる広さの箱状に組み立てることができ、前記組立て状態で、底面パネルを起立させて背面パネルに重ね、その底面パネルの上に両側面パネルを重ね、その両側面パネルの上に正面パネルを重ねて前記折畳み状態に戻すことができ、少なくとも前記背面パネルに、ベント、支保工、建物構造物等の支持体に着脱可能な連結板を備えたものである。
【００１１】
本発明の折畳み足場は、前記折畳み足場において、支持具が細長材であり、その支持具は側面パネルと正面パネルで構成される二つの上コーナー部及び二つの下コーナー部に設けられ、上コーナー部の支持具は側面パネルの上枠と正面パネルの上枠に跨がせて架設され、その一端側が側面パネルの上枠に他端側が正面パネルの上枠に夫々回転可能に取付けられ、下コーナー部の支持具は側面パネルの下枠と正面パネルの下枠に跨がせて架設され、その一端側が側面パネルの下枠に他端側が正面パネルの下枠に夫々回転可能に取付けられて、正面パネルの折畳みに伴って折畳まれ、正面パネルの展開に伴って立ち上がり、両側面パネルが背面パネルの前方に突出するまで展開されて側面パネル側端部が正面パネル側端部と突き合わされると、両側面パネルの前記枠材と正面パネルの前記枠材が支持具により支持されて両側面パネルと正面パネルが展開状態に保持されるようにすることができる。
【００１２】
本発明の折畳み足場は、底面パネルの背面に背面パネルが、前面に正面パネルが、両側面に側面パネルが立設された上面開口の箱状であり、それらいずれかのパネルをベント、支保工、建物構造物等の支持体に取付け可能な足場であり、前記底面パネル、背面パネル、両側面パネル、正面パネルは、背面パネルを下にしてその上に底面パネル、その上に両側面パネル、その上に正面パネルの順に折り畳んで重ねることができ、前記折り畳み状態から、正面パネルを引き上げると、その下に折畳まれている両側面パネルが背面パネルの両側前方に展開し、両側面パネルの前面に正面パネルが展開され、背面パネルに重ねてある底面パネルを背面パネルの前方に横倒しに展開することができるように連結され、前記展開状態で背面パネルと正面パネルと両側面パネルが方形枠状に保持されるように両側面パネルと正面パネルが支持具で連結され、前記方形枠状に保持された背面パネルと正面パネルと両側面パネルの内側に、底面パネルを倒すことにより、背面パネルと正面パネルと両側面パネルと底面パネルとにより前記上面開口であって、内部に作業者が入って作業することのできる広さの箱状に組み立てることができ、前記組立て状態で、底面パネルを起立させて背面パネルに重ね、その底面パネルの上に両側面パネルを重ね、その両側面パネルの上に正面パネルを重ねて前記折畳み状態に戻すことができ、前記支持具が細長材であり、その支持具は側面パネルと正面パネルで構成される二つの上コーナー部及び二つの下コーナー部に設けられ、上コーナー部の支持具は側面パネルの上枠と正面パネルの上枠に跨がせて架設され、その一端側が側面パネルの上枠に他端側が正面パネルの上枠に夫々回転可能に取付けられ、下コーナー部の支持具は側面パネルの下枠と正面パネルの下枠に跨がせて架設され、その一端側が側面パネルの下枠に他端側が正面パネルの下枠に夫々回転可能に取付けられて、正面パネルの折畳みに伴って折畳まれ、正面パネルの展開に伴って立ち上がり、両側面パネルが背面パネルの前方に突出するまで展開されて側面パネル側端部が正面パネル側端部と突き合わされると、両側面パネルの前記枠材と正面パネルの前記枠材が支持具により支持されて両側面パネルと正面パネルが展開状態に保持されるようにしてある。この場合、少なくとも背面パネルに、ベント、支保工、建物構造物等の支持体に着脱可能な連結板を備えることもできる。
【００１３】
前記底面パネルは、背面パネルの上に重なる折り畳み状態から、背面パネルの前方に横倒しになる状態まで回転可能に背面パネルの下部に取付けられ、側面パネルは底面パネルの上に重ねられた折り畳み状態から背面パネルの前方に突出する展開状態まで回転可能に背面パネルの側方部に取付けられ、正面パネルは側面パネルの上に重ねて折り畳まれた状態から、背面パネルの前方に突出した両側面パネルの前方に配置される展開状態まで回転可能に側面パネルに取付けることができる。この場合、前記のように連結された両側面パネルの前記枠材と正面パネルの前記枠材と支持具により不等辺三角形が形成され、その不等辺三角形が確保されて両側面パネルと正面パネルの前記展開状態が保持され、折り畳み時には当該支持具が側面パネルの枠材に沿うように回転して折畳まれるようにすることができる。
【００１４】
前記背面パネル、両側面パネル、正面パネルのいずれか一以上のパネルに、タラップを設け、底面パネルに出入り口を設け、出入り口に開閉可能な蓋を設け、作業者がそのタラップを昇降して前記出入り口から、箱状に展開されている足場内に出入りするようにでき、足場内への出入りが容易になる。蓋は下方から上方へ押し上げると開いて引き下げると閉じる開閉式（ドア式）でも、横スライドして開閉できるスライド式（引き戸式）のものでもよい。
【００１５】
本発明の折畳み足場付きベントは、ベントの装備面に前記折畳み足場が取付けられ、その取付け状態で折り畳み展開自在としたものである。この場合、折畳み足場のタラップが付いている背面パネルをベント側にして取付けると作業者がタラップを上り降りする際に折畳み足場が安定する。
【発明の効果】
【００１６】
本発明の折畳み足場は次の効果がある。
（１）折り畳むことができるので保管に広い場所を取らず、嵩張らないのでトラックやトラクター等の搬送車への積み込み数を多くすることができ、多数の折畳み足場を効率良く搬送することができる。
（２）折り畳み状態で最上段に重ねてある正面パネルを拡げて（引き上げて）、底面パネルを起こすと箱状に展開できるため展開が容易であり、足場組立作業に要する時間、体力の無駄が解消される。
（３）底面パネルに出入り口があり、出入り口が蓋で開閉可能であるため、展開した箱状の足場内への作業者の出入りが容易である。
【００１７】
本発明の折畳み足場付きベントは次の効果がある。
（１）ベントに足場が付いているため、ベントを積み重ねれば自動的に足場付きの支保工が組み立てられ、単管パイプや床材で足場を組む場合に比して作業性が良い。
（２）折畳み足場がベントに取付けられているため、ベントの運搬に伴って足場も運搬され、トラックやトレーラー等への積み降ろし作業が容易になる。
（３）折畳み足場を地上で箱状に展開してからベントを積み重ねることができるので、高所での足場組立作業が不要であり安全でもある。
【図面の簡単な説明】
【００１８】
【図１】本発明の折畳み足場及び折畳み足場付きベントの一例を示す分解斜視図。
【図２】本発明の折畳み足場及び折畳み足場付きベントの使用例を示す側面図。
【図３】本発明の折畳み足場及び折畳み足場付きベントの使用例を示す正面図。
【図４】（ａ）は折畳み足場を折り畳んだ状態を示す説明図、（ｂ）は折畳み足場を展開した状態を示す説明図。
【図５】折畳み足場の展開方法の説明図であって、（ａ）は折畳み足場の正面パネルを上方に引き上げた状態を示すもの、（ｂ）は側面パネルを保持具で保持させる状態を示すもの、（ｃ）は底面パネルを起こして方形枠の底面部にセットする状態を示すもの。
【図６】折畳み足場の一例を示す分解斜視図。
【図７】底面パネルと背面パネルの連結構造の説明図。
【図８】背面パネルと両側面パネルの連結構造の説明図。
【図９】両側面パネルと正面パネルの連結構造の説明図であって、（ａ）はその前方斜視図、（ｂ）その後方斜視図。
【図１０】図５のａ部拡大図であって、（ａ）は押さえボルトをねじ込む前の側面図、（ｂ）は押さえボルトをねじ込んで底面パネルの上まで突出させて底面パネルの倒れを防止した状態を示す側面図。
【図１１】正面パネルと側面パネルの連結に用いる支持材の説明図であって、（ａ）は展開時の支持材を示す説明図、（ｂ）は折畳み状態の支持材の説明図である。
【発明を実施するための形態】
【００１９】
（折畳み足場の実施形態）
本発明の折畳み足場の実施形態について図面を参照して説明する。本発明の折畳み足場は、橋梁や高速道路等の施工現場、ビル建築現場といった各種現場で使用可能なものである。本発明の折畳み足場はベントに取付けておくこともできるが、ベントとは別に分離しておき、使用時にベントに取付けて使用することもできる。以下の説明では、図４（ａ）のように折畳み可能な折畳み足場１をベント２に取付けておき、ベント２に取付けた状態で図１、図４（ｂ）のように箱状に展開可能な折畳み足場付きベント１００を一例として説明する。
【００２０】
本発明の折畳み足場１は、保管時や不使用時は図４（ａ）に示すように折畳むことができ、使用時には図１、図４（ｂ）のように拡げて（展開して）上面開口の箱状にすることができ、図２、図３のようにその足場内に作業者がのって（入って）、上下に積み重ねたベント２の連結作業、解体作業、その他の必要な作業を行うことができるようにしたものである。図２は図１の足場付きベントを上下に重ねた状態の正面図、図３は図２の側面図である。
【００２１】
［折畳み足場の展開方法］
図４（ａ）示すように折り畳んである折畳み足場１を、図１に示す箱型に展開するには、例えば図５（ａ）〜（ｃ）に示す手順で行うことができる。
（１）図４（ａ）に示すように、折畳み足場付きベント１００を、そのベント２を下にして地面に置く。
（２）図５（ａ）に示すように、二人の作業者が、折り畳んである最上段の正面パネル６の長手方向（幅方向）両側を手で持って引き上げる。このとき、正面パネル６に支持具７で連結されている両側面パネル５が図５（ｂ）に実線で示す状態まで引き上げられ（開かれ）、さらに側面パネル５の上端を図５（ｂ）の破線で示す状態まで引き寄せることによって、ベント２側の背面パネル４とそれと対向する正面パネル６と、背面パネル４と正面パネル６の間の両側面パネル５が方形枠状になる。
（３）図５（ｂ）のような箱型に展開した後、背面パネル４の上に重ねてある（倒伏している）底面パネル３を図５（ｃ）に示すように起こして（立ち上げて）、図１、図４（ｂ）のように、背面パネル４と両側面パネル５と正面パネル６と底面パネル３で囲まれて上面が開口する箱状の足場にする。
【００２２】
［折畳み足場の折畳み方法］
図１、図４（ｂ）に示すように箱状に展開されている折畳み足場１を、図４（ａ）のように折畳むには例えば次のようにする。
（１）図１、図４（ｂ）の展開状態の折畳み足場１をベント２に取付けたまま図４（ｂ）に示すように横に寝かせる。
（２）図５（ｃ）とは逆に、底面パネル３を背面パネル４側に横倒しにする。
（３）前記（２）の状態で、両側面パネル５を下方に押して支持具７の下端側を内側にスライドさせて、支持具７による正面パネル６の支持を解除する。
（４）前記（３）の状態で正面パネル６を下方に押し下げて図５（ａ）に示すように、両側面パネル５を背面パネル４の上に重ねた底面パネル３側に下げて、図４（ａ）に示すように、両側面パネル５を底面パネル３の上に重ね、その上に正面パネル６を重ねる。このとき、正面パネル６を背面パネル４の上に殆ど又は全く隙間なく重ねて、折畳みを完了する。
【００２３】
［折り畳み足場の構成部材］
前記のように展開、折り畳み可能な本願発明の折畳み足場１は、図６に示すように、底面パネル３と、底面パネル３の後方に縦向きに取り付けられた背面パネル４と、底面パネル３の前方に縦向きに取り付けられた正面パネル６と、底面パネル３の両側面に縦向きに取り付けられた側面パネル５を備えている。これらパネルは図４（ａ）に示すように、背面パネル４を下にして、背面パネル４、底面パネル３、両側面パネル５、正面パネル６の順に重ねて折り畳めるように連結してある。
【００２４】
［底面パネル］
前記底面パネル３は展開時に作業足場となる部分であり、図６及び図７に示すように横幅方向両側に固定床３１が設けられ、両固定床３１の間に出入り口３１ａが設けられ、出入り口３１ａに開閉床３２が設けられている。前記固定床３１は固定床フレーム３３の内側に床材３４が張られている。固定床フレーム３３の長手方向両端であって背面パネル４寄りの箇所には、背面パネル４との連結に用いる連結具（ボルト）１９を挿し込み可能な止め孔３３ａが設けられている。床材３４としてエキスパンドメタルが使用されている。出入り口３１ａは作業者が出入りできる広さにしてある。
【００２５】
前記開閉床３２は図６及び図７に示すように、方形の開閉床枠３７の内側に床材３８が張られている。床材３４としてエキスパンドメタルが使用されている。この開閉床３２は図６のように開閉床枠３７の両側部３７ａ、３７ｂの手前側に連結ピン３９で軸支されて図６の矢印Ａ−Ｂ方向に回転して、出入り口３１ａを開閉自在としてある。開閉床枠３７の両側先方部分には平板状のストッパー４０が外側に突出して設けられている。このストッパー４０は開閉床３２を図６の矢印Ａ方向に回転させて出入り口３１ａを閉じると、固定床フレーム３３の周枠３１ａに係止してその位置に停止するようにしてある。
【００２６】
［背面パネル］
前記背面パネル４は、図６に示すように横幅方向両側の背面フレーム４ａの間にタラップ８が設けられている。背面フレーム４ａは縦方向中央部に補強用の横材１０が設けられ、その横材１０の下に幅木２３が張られている。幅木２３としてエキスパンドメタルが使用されている。
【００２７】
前記タラップ８は梯子部分１１と、その上端から後方に突設された取付け部１２を備えている。梯子部分１１はステップバー１１ａを備える。ステップバー１１ａの本数や間隔は使用し易いように設定することができる。タラップ８の下端は背面パネル４の下端よりも下方まで延びている。タラップ８の位置は背面フレーム４ａ内であれば他の箇所、例えば、左右いずれか寄りの位置であってもよい。
【００２８】
前記背面フレーム４ａの左右の縦材９はＬ字状の細長材であり、平面視外向きＬ字状となるように配置されている。この縦材９の内側面の下端側には貫通孔９ａが設けられ、固定床フレーム３３との連結に用いる連結具１９を、図７に示すように縦材９の外側から挿し込み可能としてある。縦材９の上端部外側には上連結プレート１４が、下端部外側には下連結プレート１５が手前（前方）に突出して設けられている。両連結プレート１４、１５には上下に貫通した差込み孔１４ａ、１５ａが開口されている。背面フレーム４ａの左右の縦材９の上端部内側にＬ字状の上連結板２１が取付けられ、この縦材９の縦方向中間部（上下二本の横材１０ａと１０ｂの間）の内側にＬ字状の下連結板２２が取付けられている。上連結板２１、下連結板２２は図１のようにベント２に取付けるためのものであり、それらの内側片２１ａ、２２ａにはベント２に連結するためのボルトを差し込むための止め穴２１ｂ、２２ｂが開口されている。前記タラップ８の下部両外側には平板状の連結板２４が正面側に向けて取付けられている。この連結板２４には横方向（肉厚方向）に貫通する差込み孔２５が開口されている。この差込み孔２５は底面パネル３を取付けるためのボルトを差し込むための止め孔である。
【００２９】
［側面パネル］
前記側面パネル５は、図６及び８に示すように、縦長方形の側面フレーム５ａの内側に２本の横材４４と、斜材４５が配置されて補強され、下部に幅木４６が張られている。幅木４６にエキスパンドメタルが張られている。幅木４６は背面パネル４側の端部４６ａが背面パネル４側に突設され、背面パネル４と両側面パネル５の隙間を埋められるようにしてある。
【００３０】
側面フレーム５ａの上材４２の後端部は、側面フレーム５ａの後縦材４１ａよりも後方に突出しており、その突出部４２ａに上下方向に貫通する差込み孔４７が形成されている。この差込み孔４７は図８のように背面パネル４に取付ける場合に止めピン（ボルト）１７を差し込むための止め孔である。側面フレーム５ａの後縦材４１ａの下端には薄板状の連結プレート４８が後方に突出して設けられている。この連結プレート４８にも上下方向（肉厚方向）に貫通した差込み孔４９が設けられている。この差込み孔４９も図８のように背面パネル４に取付ける場合にボルト１７を差し込むための止め孔である。側面フレーム５ａの前縦材４１ｂには２枚の平板材２８が上下に間隔をあけて設けられている。２枚の平板材２８は外側方に突出して設けられている。
【００３１】
［正面パネル］
前記正面パネル６は、図６及び９（ａ）（ｂ）に示すように横長方形の正面フレーム６ａの内側に補強用の縦材５４と横材５５が十字状に配置され、正面フレーム６ａの内側下部に幅木５６としてエキスパンドメタルが張られている。図７及び９（ａ）に示すように、フレーム６ａの上下方向中央部に設けられた横材５５の幅方向両端側には、正面パネル６の引き上げ用の取っ手５８が設けられている。取っ手５８はＬ字状としてあるが、これ以外の形状であってもよい。正面フレーム６ａの幅方向両端面には、平板状のプレート５９が間隔をあけて２枚ずつ設けられている。プレート５９は、展開状態において側面パネル５の平板材２８とかみ合って（接触して）、正面パネル６にかかる荷重を側面パネル５に伝えられるようにしてある。図９に示すように下材５３の横長方向中央部には平板状の支持体５７が下材５３の内側に突出して設けられている。この支持体５７は図９（ｂ）のように側面パネル５、正面パネル６の内側下部に配置された底面パネル３を図１０（ｂ）のように下方から支持できるようにしてある。
【００３２】
前記した底面パネル３、背面パネル４、側面パネル５、正面パネル６にはエキスパンドメタルが張られているが、エキスパンドメタル以外のもの、例えば板材や他の網材等を用いることもできる。フレーム、タラップ等は強度の面から鋼材製とするのが適する。
【００３３】
［折畳み足場の組み立て］
本発明の折畳み足場１は、前記底面パネル３と、背面パネル４と、正面パネル６と、側面パネル５を組み立てて（連結して）図１のような展開状態に構成されている。
【００３４】
［底面パネルと背面パネルの連結］
底面パネル３と背面パネル４の連結は図７に示すように、横向きの底面パネル３の背面に背面パネル４を縦向きに配置し、背面パネル４の下部に設けてある２枚の連結板２４を底面パネル３の２つの固定床３１の内側に配置し、両連結板２４側から固定床３１の周枠３１ｂに向けてボルトその他の止め具２６をねじ込むことによって連結してある。底面パネル３は、固定床フレーム３３の両止め孔３３ａが、背面パネル４の両縦材９に設けられた貫通孔９ａと連通するように両縦材９間に配置され、両縦材９の外側から貫通孔９ａと止め孔３３ａに挿し込まれた連結具１９で連結されている。底面パネル３は止め具２６及び連結具１９を回転軸として折畳み方向（図７のＸ矢印方向）と展開方向（図７のＹ矢印方向）に回転するようにしてある。
【００３５】
［背面パネルと両側面パネルの連結］
背面パネル４と２枚の側面パネル５は図８に示すように、背面パネル４のＬ字状の縦材９の外側に夫々の側面パネル５の側面フレーム５ａの後縦材４１ａを押し当てる。この場合、側面フレーム５ａの上材４２の突出部４２ａを背面パネル４の縦材９に設けた上連結プレート１４の下に配置してボルト１７とナット１８で連結し、側面フレーム５ａの下端に設けた連結プレート４８を背面パネル４の縦材９の下端に設けた両連結プレート１５の上に配置してボルト１７とナット１８で連結して、側面パネル５がボルト１７を回転軸として、折畳み方向（図８のＳ矢印方向）と展開方向（図８のＴ矢印方向）に回転するようにしてある。
【００３６】
［両側面パネルと正面パネルとの連結］
２枚の側面パネル５と正面パネル６は図９（ａ）（ｂ）に示すように、夫々の側面パネル５の前面に正面パネル６が縦向きに配置され、夫々の側面パネル５の上材４２と正面パネル６の上材５２のコーナー部分の上に、細長の薄板状の支持具７を斜めに架設して連結し、夫々の側面パネル５の下材４３と正面パネル６の下材５３のコーナー部分の下に前記支持具７と同じ形状の支持具７を斜めに架設して連結してある。この場合、支持具７はその軸方向両端に開口してある止め孔１６に差し込まれたボルト等の連結軸７２によって軸支され、その連結軸７２を回転軸として回動可能にして、図５（ａ）（ｂ）のように折り畳み、展開できるようにしてある。両側面パネル５に設けられた平板材２８と正面パネル６に設けられたプレート５９は、展開状態において、図９（ａ）（ｂ）に示すようにかみ合い、正面パネル６にかかる荷重が両側面パネル５に伝わるようにしてある。
【００３７】
前記支持具７と、それで連結された２枚の側面パネル５の側面フレーム５ａと、正面パネル６の正面フレーム６ａは、図５（ａ）（ｂ）のように正面パネル６を持ち上げて図１１（ａ）に示すように側面パネル５を背面パネル４に対して直角又は略直角に起立させると、図１１（ａ）のように不等辺三角形が形成されるように設計されている。このとき、支持具７の正面パネル６側から側面パネル５側に働く力Ｆのうち、分力ｆ１が側面パネル５に作用して、側面パネル５が起立状態に支持される。
【００３８】
前記起立状態で展開時とは逆に図５（ｂ）、図５（ａ）の順に正面パネル６を押し下げると当該支持具７が倒れて前記不等辺三角形の形状が崩れ、図１１（ｂ）に示すように両側面パネル５が背面パネル４の上に重なって折畳まれ、正面パネル６の上に両側面パネル５が重なって折畳まれる。この場合、両側面パネル５と正面パネル６は全く又はほとんど隙間なく重なるように支持具７の長さ、両側面パネル５と正面パネル６への支持具７の取付け位置を設計してある。
【００３９】
（折畳み足場付きベントの実施形態）
本発明の折畳み足場付きベント１００の実施形態の一例について図１乃至３を参照して説明する。この折畳み足場付きベント１００は前記した折畳み足場１を図１に示すベント２に取付けたものである。ベント２は図２（正面図）、図３（側面図）のように上下に所望数多段に重ねて、重ね部分をボルトとナットで締め付けることにより、橋桁の仮受けに用いられる支保工を組み立てることができるものである。
【００４０】
［ベント］
図１に示すベント２は２本の縦柱１０１の間に２本の横材１０２が配置連結されて方形枠状に組み立てられ、その方形枠内に斜材（ブレース材）１０３が配置され、縦柱１０１の上部に上面材ブレース１０８ａ、縦柱１０１の下部に下面材ブレース１０８ｂを横にわたして固定してある。前記縦柱１０１は、支柱部１０４の上端に平板状の上ベースプレート１０５ａが、下端に下ベースプレート１０５ｂが設けられ、夫々の支柱部１０４には複数本のタラップ１０６が設けられている。ベースプレート１０５には貫通孔１０７が複数設けられ、その貫通孔１０７にボルトを差し込んでナット締めすることによって、支持台座Ｂや他のベント２（折畳み足場付きベント１００）に固定できるように構成されている。ベントの寸法や構造は図示した以外であってもよい。
【００４１】
［ベントへ取付ける折畳み足場］
ベント２に取付ける折畳み足場１は、前記実施形態に示した折畳み足場であり、展開時には図１乃至３及び図４（ｂ）に示すようにベント２の外側に突出し、折り畳み時には図４（ａ）に示すようにベント２の上に重なるようにしてある。
【００４２】
［折畳み足場のベントへの取付け］
折畳み足場１は背面パネル４に設けられた上連結板２１（図６）が図１のベント２の上面材ブレース１０８ａに宛がわれてボルトとナットでベント２に固定されている。また、背面パネル４に設けられた下連結板２２はベント２のタラップ１０６の前面に宛がわれ、タラップ１０６に被せられたＵボルト（図示しない）の両端が下連結板２２の止め穴２１ｂ、２２ｂに挿通され、下連結板２２の内側片２１ａ、２２ａの外側（正面側）に突出した両端がナットによって固定されている。夫々の下連結板２２には止め穴２１ｂ、２２ｂが４つずつ設けられており、ベント２のタラップ１０６の位置に応じて好ましい止め穴２１ｂ、２２ｂを用いることができる。また、タラップ８の取付け部１２をベント２の横材１０２の上に重ね、取付け部１２の孔と横材１０２の孔に差し込んだボルトをナットで締めて固定もしてある。図１のように折畳み足場１の背面パネル４をベント２側にして取付けることにより、図４（ａ）に示すようにベント２を横倒しにすると、折畳み足場１がベント２の上に重なり、その上に、側面パネル５、正面パネル６が順に重なって折畳まれる。
【００４３】
［折畳み足場付ベントの展開方法］
本発明の折畳み足場１を展開するには、図４のようにベント２が横向きになっている状態で、ベント２に折畳んである折畳み足場１の正面パネル６を図５（ａ）（ｂ）の順に引き上げ、図５（ｃ）のように底面パネル３を起こして図４（ｂ）のようにする。図５（ｃ）のように底面パネル３を起こしたら、図１０（ａ）のように底面パネル３の上から外れているボルト６０をねじ込んで図１０（ｂ）のように底面パネル３の上まで突出させて底面パネル３が倒れないようにする。図５（ｃ）のように箱状に展開された折畳み足場１は、図１１（ａ）のように側面パネル５が背面パネル４に対して直角又は略直角に起立して、側面パネル５の側面フレーム５ａと正面パネル６の正面フレーム６ａが支持具７で支持され、側面パネル５と正面パネル６が箱状に保持される。
【００４４】
前記箱状に展開してからベント２を起立させ（縦柱１０１を縦向きにし）て、ベント２を図２、図３のように上下に積み重ねて支保工を組み立てると、展開されている折畳み足場１がベントの側方（支保工の側方）に突出する。作業者はタラップ８を上って折畳み足場１の底面に到達したら底面パネルの開閉床３２（図６）を押し上げて出入り口３１ａを開き、その出入り口３１ａから図２、図３のように折畳み足場１内に入ることができる。
【００４５】
［折畳み足場付ベントの折畳み方法］
折畳み足場付ベント１００は使用後に解体し、縦柱１０１を横向きにして地上に降ろす。図１０（ｂ）のように底面パネル３の上まで突出しているボルト６０を図１０（ａ）のように引いて抜いて底面パネル３の上から外し、図５（ｃ）とは逆に底面パネル３を背面パネル側に倒す。図５（ｂ）、図５（ａ）の順に正面パネル６を押し下げて、両側面パネル５を背面パネル４の上に重ね、正面パネル６の上に両側面パネル５を重ねて、図４（ａ）のように折畳む。
【００４６】
（折畳み足場の使用例１）
本発明の折畳み足場１を使用する場合、図４のようにベント２が横向きになっている状態で、ベント２に折畳んである折畳み足場１の正面パネル６を図５（ａ）（ｂ）の順に引き上げ、図５（ｃ）のように底面パネル３を起こして図４（ｂ）のように箱状に展開する。この場合、図１１（ａ）のように側面パネル５を背面パネル４に対して直角又は略直角に起立させると、側面パネル５の側面フレーム５ａと、正面パネル６の正面フレーム６ａが支持具７で支持されて、側面パネル５と正面パネル６が箱状に保持される。この状態でベント２を起立させ（縦柱１０１を縦向きにし）、そのベント２を図２、図３のように上下に積み重ねて支保工を組み立てると、展開済みの折畳み足場１がベント２の側方（支保工の側方）に突出する。作業者はタラップ８を上って折畳み足場１の底面に到達したら底面パネル３の開閉床３２（図６）を押し上げて出入り口３１ａを開き、その出入り口から図２、図３のように折畳み足場１内に入り、その中で上下に積み重ねたベント２の連結作業やその他の必要な作業を行うことができる。
【００４７】
（折畳み足場の使用例２）
本発明の折畳み足場１はベント２と別体に製作したものを、折畳み足場１の付いていないベント２を上下に積み重ねて連結した支保工に取付けて使用することができる。支保工以外のビルやその他の構造物に取付けることもできる。この場合、折畳み足場１を箱状に展開してから取付けると取付け易い。
【産業上の利用可能性】
【００４８】
前記実施形態では、折畳み足場１をベント２に固定して使用する場合を一例として説明しているが、本発明の折畳み足場１は、高速道路や歩道橋の施工現場における支保工、ビルやその他の建造物などの工事現場において、各種構造物に取り付けて使用することもできる。
【符号の説明】
【００４９】
１          折畳み足場
２          ベント
３          底面パネル
４          背面パネル
４ａ        背面フレーム
５          側面パネル
５ａ        側面フレーム
６          正面パネル
６ａ        正面フレーム
７          支持具
８          タラップ
９          （背面フレームの）縦材
９ａ        貫通孔
１０        （背面フレームの）横材
１０ａ      （上から２番目の）横材
１０ｂ      （上から３番目の）横材
１１        梯子部分
１１ａ      ステップバー
１２        取付け部
１４        上連結プレート
１４ａ      （上連結プレートの）差込み孔
１５        下連結プレート
１５ａ      （下連結プレートの）差込み孔
１６        止め孔
１７        止めピン（ボルト）
１８        ナット
１９        連結具（ボルト）
２１        上連結板
２１ａ      （上連結板の）内側片
２１ｂ      （上連結板の内側片の）止め穴
２２        下連結板
２２ａ      （下連結板の）内側片
２２ｂ      （下連結板の内側片の）止め穴
２３        （背面フレームの）幅木
２４        連結板
２５        差込み孔
２６        止め具
２８        平板材
３１        固定床
３１ａ      出入り口
３１ｂ      （固定床の）周枠
３２        開閉床
３３        固定床フレーム
３３ａ      止め孔
３４        床材
３７        開閉床枠
３７ａ      （開閉床枠の）側部
３７ｂ      （開閉床枠の）側部
３８        床材
３９        連結ピン
４０        ストッパー
４１ａ      （側面フレームの）後縦材
４１ｂ      （側面フレームの）前縦材
４２        （側面フレームの）上材
４２ａ      （上材の）突出部
４３        下材
４４        （側面フレームの）横材
４５        （側面フレームの）斜材
４６        （側面フレームの）幅木
４６ａ      （側面フレームの幅木の）端部
４７        差込み孔
４８        連結プレート
４９        差込み孔
５２        （正面フレームの）上材
５３        （正面フレームの）下材
５４        （正面フレームの）縦材
５５        （正面フレームの）横材
５６        （正面フレームの）幅木
５７        支持体
５８        取っ手
５９        プレート
６０        ボルト
７２        連結軸
１００      折畳み足場付きベント
１０１      縦柱
１０２      横材
１０３      斜材
１０４      支柱部
１０５      ベースプレート
１０５ａ    上ベースプレート
１０５ｂ    下ベースプレート
１０６      タラップ
１０７      貫通孔
１０８ａ    上面材ブレース
１０８ｂ    下面材ブレース
Ｂ          支持台座
【図１】
0005759404.tif 000002
【図２】
0005759404.tif 000003
【図３】
0005759404.tif 000004
【図４】
0005759404.tif 000005
【図５】
0005759404.tif 000006
【図６】
0005759404.tif 000007
【図７】
0005759404.tif 000008
【図８】
0005759404.tif 000009
【図９】
0005759404.tif 000010
【図１０】
0005759404.tif 000011
【図１１】
0005759404.tif 000012